(57)【要約】【課題】  静電耐圧特性を向上させ、小型化を図ることができる弾性表面波フィルタを提供する。【解決手段】  圧電基板上に、入力端子１及び出力端子２と、入力側櫛歯電極１２と出力側櫛歯電極２２とが形成され、入力端子１と入力側櫛歯電極１２とを接続する入力信号パターン５とその両隣に隣接する入力側グランドパターン７ａ及び７ｂとの間に容量が形成され、出力端子２と出力側櫛歯電極２２とを接続する出力信号パターン６とその両隣に隣接する出力側グランドパターン７ｅ及び７ｆとの間に、容量が形成された弾性表面波フィルタであり、また、容量が櫛歯状のキャパシタンス電極１６ａ、１６ｂ、２６ａ、２６ｂで構成された弾性表面波フィルタとしている。【選択図】        図１
2015041909.tif 000002
【特許請求の範囲】
【請求項１】
圧電基板上に、入力端子と、出力端子と、前記入力端子に接続する入力側櫛歯電極と、前記出力端子に接続する出力側櫛歯電極とが形成された弾性表面波フィルタであって、
前記入力端子と前記入力側櫛歯電極とを接続する入力信号パターンと、
前記入力信号パターンに隣接して形成された第１の入力側グランドパターン及び第２の入力側グランドパターンとを備え、
前記入力信号パターンと前記第１の入力側グランドパターンとの間、及び前記入力信号パターンと前記第２の入力側グランドパターンとの間に容量が形成されていることを特徴とする弾性表面波フィルタ。
【請求項２】
圧電基板上に、入力端子と、出力端子と、前記入力端子に接続する入力側櫛歯電極と、前記出力端子に接続する出力側櫛歯電極とが形成された弾性表面波フィルタであって、
前記出力端子と前記出力側櫛歯電極とを接続する出力信号パターンと、
前記出力信号パターンに隣接して形成された第１の出力側グランドパターン及び第２の出力側グランドパターンとを備え、
前記出力信号パターンと前記第１の出力側グランドパターンとの間、及び前記出力信号パターンと前記第２の出力側グランドパターンとの間に容量が形成されていることを特徴とする弾性表面波フィルタ。
【請求項３】
圧電基板上に、入力端子と、出力端子と、前記入力端子に接続する入力側櫛歯電極と、前記出力端子に接続する出力側櫛歯電極とが形成された弾性表面波フィルタであって、
前記入力端子と前記入力側櫛歯電極とを接続する入力信号パターンと、
前記出力端子と前記出力側櫛歯電極とを接続する出力信号パターンと、
前記入力信号パターンに隣接して形成された第１の入力側グランドパターン及び第２の入力側グランドパターンと、
前記出力信号パターンに隣接して形成された第１の出力側グランドパターン及び第２の出力側グランドパターンとを備え、
前記入力信号パターンと前記第１の入力側グランドパターンとの間と、前記入力信号パターンと前記第２の入力側グランドパターンとの間と、前記出力信号パターンと前記第１の出力側グランドパターンとの間と、前記出力信号パターンと前記第２の出力側グランドパターンとの間に容量が形成されていることを特徴とする弾性表面波フィルタ。
【請求項４】
容量は、櫛歯状の電極で構成されており、前記櫛歯状の電極が、入力信号パターンと第１、第２の入力側グランドパターンとの間の領域、若しくは、出力信号パターンと第１、第２の出力側グランドパターンとの間の領域に形成されていることを特徴とする請求項１乃至３のいずれか記載の弾性表面波フィルタ。
【請求項５】
容量は、入力信号パターンと第１、第２の入力側グランドパターンに接続するコンデンサ、若しくは、出力信号パターンと第１、第２の出力側グランドパターンに接続するコンデンサとして圧電基板の外に設けられていることを特徴とする請求項１乃至３のいずれか記載の弾性表面波フィルタ。
【請求項６】
容量の値を、入力側櫛歯電極又は出力側櫛歯電極の容量の０．８倍以上１．２倍以下としたことを特徴とする請求項１乃至５のいずれか記載の弾性表面波フィルタ。
【請求項７】
容量の値を、入力側櫛歯電極又は出力側櫛歯電極の容量と同等としたことを特徴とする請求項１乃至６のいずれか記載の弾性表面波フィルタ。
【発明の詳細な説明】
【技術分野】
【０００１】
本発明は、弾性表面波フィルタに係り、特に静電耐圧特性を向上させ、小型化を図ることができる弾性表面波フィルタに関する。
【背景技術】
【０００２】
［先行技術の説明］
近年、ＳＡＷ（Surface Acoustic Wave;弾性表面波）デバイスの小型化の要求に伴い、ＳＡＷデバイスのパッケージは、例えば3.0mm×3.0mmといった小型のものが増えている。
その一方で、組み立て工場の海外移転に伴い、静電耐圧管理が不十分な環境でデバイスが扱われることが多くなり、静電気による静電破壊に対する耐性も要求されている。
【０００３】
［従来の弾性表面波フィルタ（１）：図２］
従来の弾性表面波フィルタについて図２を用いて説明する。図２は、従来の弾性表面波フィルタ（１）の構成図である。
図２に示すように、従来の弾性表面波フィルタ（１）は、縦結合二重モードフィルタであり、圧電基板上に形成された入力端子５１と、出力端子５２と、入力側電極群３０と、出力側電極群４０と、縦続接続配線５３ａ，５３ｂと、ＳＡＷ共振子３６，４６とを備えている。
【０００４】
更に、入力側電極群３０は、左側櫛歯電極３１と、中央部櫛歯電極３２と、右側櫛歯電極３３と、反射器３４,３５とを備えている。
また、出力側電極群４０も同様に、左側櫛歯電極４１と、中央部櫛歯電極４２と、右側櫛歯電極４３と、反射器４４,４５とを備えている。
【０００５】
そして、入力端子５１と、ＳＡＷ共振子３６及び入力側の中央部櫛歯電極３２とは入力信号パターン５４によって接続され、出力端子５２と、ＳＡＷ共振子４６及び出力側の中央部櫛歯電極４２とは出力信号パターン５５によって接続されている。
更に、入力側電極群３０及び出力側電極群４０の各電極には、それぞれ、接地端子に接続するグランドパターン５６が接続されている。
【０００６】
図２に示した従来の弾性表面波フィルタ（１）では、入力端子５１と入力側の中央部櫛歯電極３２との間にＳＡＷ共振子３６を設け、また、出力端子５２と出力側の中央部櫛歯電極４２との間にＳＡＷ共振子４６を設けることにより、静電気によって中央部櫛歯電極３２，４２に印加されるＤＣ電圧をカットするようにして、静電耐圧を向上させている。
【０００７】
［従来の弾性表面波フィルタ（２）：図３］
次に、従来の弾性表面波フィルタ（２）について図３を用いて説明する。図３は、従来の弾性表面波フィルタ（２）の構成図である。
従来の弾性表面波フィルタ（２）は、図３に示すように、圧電基板上に同じ構造の第１の二重モードフィルタ６０と第２の二重モードフィルタ７０とを並列に設けたものである。
図３に示すように、第１の二重モードフィルタ６０は、入力側電極群として、左側櫛歯電極６１と、中央部櫛歯電極６２と、右側櫛歯電極６３とを備え、更に左端と右端に反射器６４が設けられている。
【０００８】
同様に、出力側電極群として、左側櫛歯電極６５と、中央部櫛歯電極６６と、右側櫛歯電極６７とを備え、更に左端と右端に反射器６８が設けられている。
そして、入力側の左側櫛歯電極６１と出力側の左側櫛歯電極６５は縦続接続配線６９ａによって接続され、入力側の右側櫛歯電極６３と出力側の右側櫛歯電極６７は縦続接続配線６９ｂによって接続されている。
【０００９】
第２の二重モードフィルタ７０は、第１の二重モードフィルタ６０と同じ構成であるため、説明は省略する。
そして、第１の二重モードフィルタ６０の入力側の中央部櫛歯電極６２と、第２の二重モードフィルタ７０の入力側の中央部櫛歯電極７２は、それぞれ入力信号パターンを介して共通の入力端子５１に接続され、出力側の中央部櫛歯電極６６と中央部櫛歯電極７６とは、それぞれ出力信号パターンを介して共通の出力端子５２に接続されている。
【００１０】
従来の弾性表面波フィルタ（２）では、同じ構造の電極群を並列に配置することにより、静電気による電圧が印加された場合に、個々の電極に印加される電流を分流し、静電耐圧特性の向上を図るものである。
【００１１】
［関連技術］
尚、弾性表面波フィルタに関する従来技術としては、特開２００２−１１１４４４号公報「複合弾性表面波フィルタ」（東洋通信機株式会社、特許文献１）がある。
特許文献１には、多重モードＳＡＷフィルタにＳＡＷ共振子を直列接続した複合ＳＡＷフィルタにおいて、挿入損失を低減する構成が記載されている。
また、特許文献１の図５には、容量形成用のＩＤＴ電極を備えることが記載されている。
【先行技術文献】
【特許文献】
【００１２】
【特許文献１】特開２００２−１１１４４４号公報
【発明の概要】
【発明が解決しようとする課題】
【００１３】
しかしながら、従来の弾性表面波フィルタ（１）では、静電耐圧特性を向上させるために、入力側電極群及び出力側電極群の外側にそれぞれＳＡＷ共振子を設けており、また、従来の弾性表面波フィルタ（２）では、同じ構造のフィルタを並列に配置しているため、いずれもフィルタ全体の面積が大きくなり、デバイスの小型化が困難であるという問題点があった。
【００１４】
尚、特許文献１及び特許文献２には、静電耐圧を向上させるために入力信号パターンとその両隣のＧＮＤパターンとの間に容量を形成することや、適切な容量の範囲については記載されていない。
【００１５】
本発明は上記実状に鑑みて為されたもので、静電耐圧特性を向上させると共に、小型化を図ることができる弾性表面波フィルタを提供することを目的とする。
【課題を解決するための手段】
【００１６】
上記従来例の問題点を解決するための本発明は、圧電基板上に、入力端子と、出力端子と、入力端子に接続する入力側櫛歯電極と、出力端子に接続する出力側櫛歯電極とが形成された弾性表面波フィルタであって、入力端子と入力側櫛歯電極とを接続する入力信号パターンと、入力信号パターンに隣接して形成された第１の入力側グランドパターン及び第２の入力側グランドパターンとを備え、入力信号パターンと第１の入力側グランドパターンとの間、及び入力信号パターンと第２の入力側グランドパターンとの間に容量が形成されていることを特徴としている。
【００１７】
上記従来例の問題点を解決するための本発明は、圧電基板上に、入力端子と、出力端子と、入力端子に接続する入力側櫛歯電極と、出力端子に接続する出力側櫛歯電極とが形成された弾性表面波フィルタであって、出力端子と出力側櫛歯電極とを接続する出力信号パターンと、出力信号パターンに隣接して形成された第１の出力側グランドパターン及び第２の出力側グランドパターンとを備え、出力信号パターンと第１の出力側グランドパターンとの間、及び出力信号パターンと第２の出力側グランドパターンとの間に容量が形成されていることを特徴としている。
【００１８】
上記従来例の問題点を解決するための本発明は、圧電基板上に、入力端子と、出力端子と、入力端子に接続する入力側櫛歯電極と、出力端子に接続する出力側櫛歯電極とが形成された弾性表面波フィルタであって、入力端子と入力側櫛歯電極とを接続する入力信号パターンと、出力端子と出力側櫛歯電極とを接続する出力信号パターンと、入力信号パターンに隣接して形成された第１の入力側グランドパターン及び第２の入力側グランドパターンと、出力信号パターンに隣接して形成された第１の出力側グランドパターン及び第２の出力側グランドパターンとを備え、入力信号パターンと第１の入力側グランドパターンとの間と、入力信号パターンと第２の入力側グランドパターンとの間と、出力信号パターンと第１の出力側グランドパターンとの間と、出力信号パターンと第２の出力側グランドパターンとの間に容量が形成されていることを特徴としている。
【００１９】
また、本発明は、上記弾性表面波フィルタにおいて、容量は、櫛歯状の電極で構成されており、櫛歯状の電極が、入力信号パターンと第１、第２の入力側グランドパターンとの間の領域、若しくは、出力信号パターンと第１、第２の出力側グランドパターンとの間の領域に形成されていることを特徴としている。
【００２０】
また、本発明は、上記弾性表面波フィルタにおいて、容量は、入力信号パターンと第１、第２の入力側グランドパターンに接続するコンデンサ、若しくは、出力信号パターンと第１、第２の出力側グランドパターンに接続するコンデンサとして圧電基板の外に設けられていることを特徴としている。
【００２１】
また、本発明は、上記弾性表面波フィルタにおいて、容量の値を、入力側櫛歯電極又は出力側櫛歯電極の容量の０．８倍以上１．２倍以下としたことを特徴としている。
【００２２】
また、本発明は、上記弾性表面波フィルタにおいて容量の値を、入力側櫛歯電極又は出力側櫛歯電極の容量と同等としたことを特徴としている。
【発明の効果】
【００２３】
本発明によれば、圧電基板上に、入力端子と、出力端子と、入力端子に接続する入力側櫛歯電極と、出力端子に接続する出力側櫛歯電極とが形成された弾性表面波フィルタであって、入力端子と入力側櫛歯電極とを接続する入力信号パターンと、入力信号パターンに隣接して形成された第１の入力側グランドパターン及び第２の入力側グランドパターンとを備え、入力信号パターンと第１の入力側グランドパターンとの間、及び入力信号パターンと第２の入力側グランドパターンとの間に容量が形成されている弾性表面波フィルタとしているので、入力側櫛歯電極に静電気による電圧が印加されたとしても、容量へ分流して入力側櫛歯電極へのエネルギーの集中を防いで、静電耐圧特性を向上させることができ、また、フィルタの大きさを増大させることなく、小型化を図ることができる効果がある。
【００２４】
本発明によれば、圧電基板上に、入力端子と、出力端子と、入力端子に接続する入力側櫛歯電極と、出力端子に接続する出力側櫛歯電極とが形成された弾性表面波フィルタであって、出力端子と出力側櫛歯電極とを接続する出力信号パターンと、出力信号パターンに隣接して形成された第１の出力側グランドパターン及び第２の出力側グランドパターンとを備え、出力信号パターンと第１の出力側グランドパターンとの間、及び出力信号パターンと第２の出力側グランドパターンとの間に容量が形成されている弾性表面波フィルタとしているので、出力側櫛歯電極に静電気による電圧が印加されたとしても、容量へ分流して出力側櫛歯電極へのエネルギーの集中を防いで、静電耐圧特性を向上させることができ、また、フィルタの大きさを増大させることなく、小型化を図ることができる効果がある。
【００２５】
本発明によれば、圧電基板上に、入力端子と、出力端子と、入力端子に接続する入力側櫛歯電極と、出力端子に接続する出力側櫛歯電極とが形成された弾性表面波フィルタであって、入力端子と入力側櫛歯電極とを接続する入力信号パターンと、出力端子と出力側櫛歯電極とを接続する出力信号パターンと、入力信号パターンに隣接して形成された第１の入力側グランドパターン及び第２の入力側グランドパターンと、出力信号パターンに隣接して形成された第１の出力側グランドパターン及び第２の出力側グランドパターンとを備え、入力信号パターンと第１の入力側グランドパターンとの間と、入力信号パターンと第２の入力側グランドパターンとの間と、出力信号パターンと第１の出力側グランドパターンとの間と、出力信号パターンと第２の出力側グランドパターンとの間に容量が形成されている弾性表面波フィルタとしているので、入力側櫛歯電極や出力側櫛歯電極に静電気による電圧が印加されたとしても、容量へ分流して櫛歯電極へのエネルギーの集中を防いで、静電耐圧特性を向上させることができ、また、フィルタの大きさを増大させることなく、小型化を図ることができる効果がある。
【００２６】
また、本発明によれば、容量は、櫛歯状の電極で構成されており、櫛歯状の電極が、入力信号パターンと第１、第２の入力側グランドパターンとの間の領域、若しくは、出力信号パターンと第１、第２の出力側グランドパターンとの間の領域に形成されている上記弾性表面波フィルタとしているので、容量を形成する櫛歯状の電極を、フィルタの櫛歯電極と同一の工程で形成することができ、また、フィルタパターンの中の空きスペースに形成することで、フィルタ全体の大きさを増大させることなく、小型化を図ることができる効果がある。
【００２７】
また、本発明によれば、容量は、入力信号パターンと第１、第２の入力側グランドパターンに接続するコンデンサ、若しくは、出力信号パターンと第１、第２の出力側グランドパターンに接続するコンデンサとして圧電基板の外に設けられている上記弾性表面波フィルタとしているので、最適な値の容量を設けることができ、静電耐圧向上の効果を確実に得ることができる効果がある。
【００２８】
また、本発明によれば、容量の値を、入力側櫛歯電極又は出力側櫛歯電極の容量の０．８倍以上１．２倍以下とした上記弾性表面波フィルタとしているので、確実に静電耐圧特性を向上させることができる効果がある。
【００２９】
また、本発明は、容量の値を、入力側櫛歯電極又は出力側櫛歯電極の容量と同等とした上記弾性表面波フィルタとしているので、最適な分流として、静電耐圧特性を最適に向上させることができる効果がある。
【図面の簡単な説明】
【００３０】
【図１】本発明の実施の形態に係る弾性表面波フィルタの構成図である。
【図２】従来の弾性表面波フィルタ（１）の構成図である。
【図３】従来の弾性表面波フィルタ（２）の構成図である。
【発明を実施するための形態】
【００３１】
本発明の実施の形態について図面を参照しながら説明する。
［実施の形態の概要］
本発明の実施の形態に係る弾性表面波フィルタは、入力信号パターンとその両隣のＧＮＤ（グランド）パターンとの間に、容量を形成するキャパシタンス電極を備えたものであり、入力側の中央部櫛歯電極に静電電圧が印加され、過剰な電流が流れたとしてもそれをキャパシタンス電極に分流して、櫛歯電極に流れる直流電流を低減することができ、フィルタの静電耐圧特性を向上させることができるものである。
【００３２】
また、本発明の実施の形態に係る弾性表面波フィルタは、キャパシタンス電極の容量を中央部櫛歯電極の容量とほぼ等しくしており、静電気によって中央部櫛歯電極に流れる電流を、キャパシタンス電極がない場合の１／３として、効率的に電流を低減し、静電耐圧特性を向上させることができるものである。
【００３３】
［実施の形態に係る弾性表面波フィルタの構成：図１］
本発明の実施の形態に係る弾性表面波フィルタの構成について図１を用いて説明する。図１は、本発明の実施の形態に係る弾性表面波フィルタの構成図である。
図１に示すように、本発明の実施の形態に係る弾性表面波フィルタは、圧電基板上に形成された縦結合二重モードフィルタであり、入力側電極群１０と、出力側電極群２０とが伝搬方向に垂直に配列されたものである。
【００３４】
入力側電極群１０は、左側櫛歯電極１１と、中央部櫛歯電極１２と、右側櫛歯電極１３と、反射器１４，１５とを備えている。
また、入力側の中央部櫛歯電極１２の一端は、入力信号パターン５を介して入力端子１に接続されている。
更に、入力側の左側櫛歯電極１１の一端は、入力側グランドパターン７ａに接続し、右側櫛歯電極１３の一端は、入力側グランドパターン７ｂに接続し、中央部櫛歯電極１２の他端は、入力側グランドパターン７ｃに接続されている。各入力側グランドパターンは、接地端子に接続される。
【００３５】
同様に、出力側電極群２０は、左側櫛歯電極２１と、中央部櫛歯電極２２と、右側櫛歯電極２３と、反射器２４，２５とを備えており、出力側の中央部櫛歯電極２２の一端は、出力信号パターン６を介して出力端子２に接続されている。
また、出力側の左側櫛歯電極２１の一端は、出力側グランドパターン７ｅに接続し、右側櫛歯電極２３の一端は、出力側グランドパターン７ｆに接続し、中央部櫛歯電極２２の他端は、出力側グランドパターン７ｄに接続されている。各出力側グランドパターンは、接地端子に接続されている。
【００３６】
更に、入力側の左側櫛歯電極１１の他端と、出力側の左側櫛歯電極２１の他端とが、縦続接続配線３によって接続され、同様に、入力側の右側櫛歯電極１２の他端と出力側の右側櫛歯電極２２の他端とが縦続接続配線４によって接続されている。
【００３７】
そして、本弾性表面波フィルタの特徴として、入力信号パターン５とその左側の入力側グランドパターン７ａとの間にキャパシタンス電極１６ａが形成され、入力信号パターン５とその右側の入力側グランドパターン７ｂとの間にキャパシタンス電極１６ｂが形成されている。
【００３８】
また、出力側についても、出力信号パターン６とその左側の出力側グランドパターン７ｅとの間にキャパシタンス電極２６ａが形成され、出力信号パターン６とその右側の出力側グランドパターン７ｆとの間にキャパシタンス電極２６ｂが形成されている。
【００３９】
［キャパシタンス電極］
キャパシタンス電極１６，２６について説明する。尚、ここではキャパシタンス電極１６ａについて説明するが、キャパシタンス電極１６ｂ、２６ａ、２６ｂは、設けられている場所が異なるものの、構成及び作用は同様であるため説明は省略する。
キャパシタンス電極１６ａは、インターデジタル型の電極で、１対の櫛状の電極片から成り、一方の電極片が入力信号パターン５に接続し、他方の電極片は入力側グランドパターン７ａに接続している。そして、各電極片に形成された個々の櫛歯状の電極指が互いに入れ子状に組み合わされて配置されている。
【００４０】
キャパシタンス電極１６ａは、入れ子状に組み合わされた電極指の間に容量を形成しており、つまり、入力信号パターン５と入力側グランドパターン７ａとの間に容量を形成するものとなっている。
【００４１】
同様に、キャパシタンス電極１６ｂは、入力信号パターン５と入力側グランドパターン７ｂとの間に容量を形成し、キャパシタンス電極２６ａは、出力信号パターン６と出力側グランドパターン７ｅとの間に容量を形成し、キャパシタンス電極２６ｂは、出力信号パターン６と出力側グランドパターン７ｆとの間に容量を形成する。
【００４２】
これにより、中央部櫛歯電極１２に静電気による電圧が印加された場合に、中央部櫛歯電極１２に接続する入力信号パターン５に形成されたキャパシタンス電極１６ａ及び１６ｂに静電気によって発生した電流が分流され、容量の比に応じて中央部櫛歯電極１２に流れる電流が低減される。
また、同様に、出力側の中央部櫛歯電極２２に電圧が印加された場合に、キャパシタンス電極２６ａ及び２６ｂに静電気によって発生した電流が分流され、中央部櫛歯電極２２に流れる電流が低減される。
これにより、本弾性表面波フィルタは静電耐圧特性を向上させることができるものである。
【００４３】
静電気による直流電流を効果的に分流するためには、フィルタ特性を考慮すると、キャパシタンス電極１６ａ及び１６ｂの容量は、それぞれ、中央部櫛歯電極１２の容量の０．８倍以上１．２倍以下とすることが望ましい。
特に、キャパシタンス電極１６ａ及び１６ｂの容量が中央部櫛歯電極１２と等しい（１．０倍）場合には、中央部櫛歯電極１２に流れる電流は、キャパシタンス電極１６ａ，１６ｂを設けない場合の１／３となり、静電耐圧向上の効果は最も大きくなる。
キャパシタンス電極２６ａ，２６ｂについても同様であり、容量が、中央部櫛歯電極２２の０．８倍以上１．２倍以下が望ましく、特に等しい場合の効果が大きいものである。
【００４４】
また、図１の例では、入力側と出力側の両方にキャパシタンス電極１６，２６を備えた構成としているが、入力側若しくは出力側の一方のみ（キャパシタンス電極１６ａと１６ｂのみ、又はキャパシタンス電極２６ａと２６ｂのみ）としてもよく、そのような構成としても、従来に比べて静電耐圧特性向上の効果が得られるものである。
【００４５】
更に、キャパシタンス電極１６ａ，１６ｂ，２６ａ，２６ｂは、櫛歯電極と同一の材料を用いて同一の工程で形成することが可能であり、キャパシタンス電極を形成するための特別な工程を不要として、低コストで実現できるものである。
【００４６】
尚、上述した特許文献１の図５にも、中央部櫛歯電極とグランド端子との間に櫛歯状の電極によって容量１１が形成されているが、特許文献１の構成では、容量１１は１つであるため、容量１１の値を最適化しても中央部櫛歯電極に流れる直流電流は１／２に低減されるだけである。
これに対し、本弾性表面波フィルタでは、入力側の中央部櫛歯電極１２に接続する入力信号パターン５の両隣に、２つのキャパシタンス電極１６ａ，１６ｂを備えているため、直流電流を１／３に低減することができ、静電耐圧を大幅に改善することができるものである。
【００４７】
また、図１の構成では、キャパシタンス電極１６が入力信号パターン５と、左右のグランドパターン７ａ、７ｂとの間のスペース（領域）に収まるように形成されているので、フィルタ面積を大きくすることなく形成することができ、従来に比べて大幅に小型化することができるものである。
【００４８】
［別の構成例］
入力信号パターン５又は出力信号パターン６とそれに隣接するグランドパターンとの間に容量を形成する別の構成例について説明する。ここでは、入力信号パターン５と入力側グランドパターン７ａとの間に容量を形成する例として説明する。
別の構成として、キャパシタンス電極１６ａを櫛歯電極と同じ面に形成されたインターデジタル型の電極とするのではなく、多層構造として、絶縁層（圧電体）を上下で挟む電極を形成して容量を形成する構成としてもよい。
この場合、絶縁層の上又は下となる一方の電極は入力信号パターン５に接続され、他方の電極は入力側グランドパターン７ａに接続される。電極の形状は櫛歯状にする必要はない。
【００４９】
また、中央部櫛歯電極及びグランドパターンから外側（櫛歯電極の反対側）に向かって配線を引き出して、フィルタ基板の外部において適切な容量のコンデンサを接続する構成としてもよい。
外付けのコンデンサを用いることにより、中央部櫛歯電極とグランドパターンとの間に分流の効果が得られる容量を正確に形成することができ、静電耐圧特性を確実に向上させることができるものである。
【００５０】
別の構成例においては、多層構造のキャパシタンス電極又は外付けのコンデンサに静電気による直流電流を分流して静電耐圧特性を向上させると共に、パターン面積を拡大させることなく、小型化を図ることができるものである。
【００５１】
［実施の形態の効果］
本発明の実施の形態に係る弾性表面波フィルタによれば、圧電基板上に、入力側の櫛歯電極群と、出力側の櫛歯電極群とが、伝搬方向に直交して配列され、互いに縦続接続配線３，４によって接続された縦結合二重モードフィルタであって、入力端子１と入力側の櫛歯電極群とを接続する入力信号パターン５と、それに隣接するグランドパターン７ａ，７ｂとの間にそれぞれ容量を形成し、出力端子２と出力側の櫛歯電極群とを接続する出力信号パターン６と、それに隣接するグランドパターン７ｅ，７ｆとの間にそれぞれ容量を形成した弾性表面波フィルタとしているので、入力側又は出力側の櫛歯電極に静電気による電圧が印加された場合に、それによる直流電流を容量に分流して櫛歯電極に流れる電流を低減することができ、静電耐圧特性を向上させ、小型化を図ることができる効果がある。
【００５２】
また、本弾性表面波フィルタによれば、容量が、櫛歯状のキャパシタンス電極として形成され、入力信号パターン５と、それに隣接するグランドパターン７ａ，７ｂとの間に配置されており、出力信号パターン６と、それに隣接するグランドパターン７ｅ，７ｆとの間に配置されている弾性表面波フィルタとしているので、キャパシタンス電極を櫛歯電極と同じ工程で形成することができ、また、フィルタ全体の面積を拡大することがなく、一層小型化を図ることができる効果がある。
【００５３】
また、別の構成例の本弾性表面波フィルタによれば、容量が、圧電体とその上下に形成された電極によって多層構造で形成されているので、一層の小型化を図ることができる効果がある。
【００５４】
また、別の構成例の本弾性表面波フィルタによれば、容量が、外付けのコンデンサによって形成されているので、正確な容量を形成することができ、最適な値のコンデンサを選択することによって、十分な静電耐圧向上の効果が得られるものである。
【００５５】
また、本弾性表面波フィルタによれば、容量を、櫛歯電極の０．８倍以上１．２倍以下としているので、確実に静電耐圧を向上させることができる効果がある。
【００５６】
また、本弾性表面波フィルタによれば、容量を、櫛歯電極と同等としているので、櫛歯電極に流れる直流電流を効率的に分流して、最適な静電耐圧向上の効果が得られるものである。
【産業上の利用可能性】
【００５７】
本発明は、静電耐圧特性を向上させ、小型化を図ることができる弾性表面波フィルタに適している。
【符号の説明】
【００５８】
１，５１...入力端子、  ２，５２...出力端子、  ３，４，５３，６９...縦続接続配線、  ５，５４...入力信号パターン、  ６，５５...出力信号パターン、  ７ａ，７ｂ...入力側グランドパターン、  ７ｃ，７ｄ...出力側グランドパターン、  １０...入力側電極群、  ２０...出力側電極群、  １１，２１，３１，４１，６１，６５，７１，７５...左側櫛歯電極、  １２，２２，３２，４２，６２，６６，７２，７６...中央部櫛歯電極、  １３，２３，３３，４３，６３，６７，７３，７７...右側櫛歯電極、  １４，１５，２４，２５，３４，３５，４４，４５，６４，６８，７４，７８...反射器、  １６ａ，１６ｂ，２６ａ，２６ｂ...キャパシタンス電極、  ５６...グランドパターン、  ６０...第１の二重モードフィルタ、  ７０...第２の二重モードフィルタ
【図１】
2015041909.tif 000003
【図２】
2015041909.tif 000004
【図３】
2015041909.tif 000005